(57)【特許請求の範囲】
【請求項１】
円形導波管を有する水平垂直偏波分波器を有するアダプタと、
前記水平垂直偏波分波器の水平偏波部及び垂直偏波部にそれぞれ対応して設けられる第１アンプ及び第２アンプであって、前記円形導波管の開口部がある一側とは反対の他側に接続される第１アンプ及び第２アンプを有する機器と、
を備え、
前記機器は、
前記第１アンプ及び第２アンプにそれぞれ接続される第１コネクタ、及び第２コネクタと、
前記前記第１コネクタ、及び前記第２コネクタの周囲に設けられ、前記アダプタが取り付けられるアダプタ取り付け部を有し、
前記アダプタは、
前記水平垂直偏波分波器の前記円形導波管の開口部がある一側に設けられ、一次放射器が取り付けられる第１取り付け部と、
前記水平垂直偏波分波器の外周部に設けられ、反射鏡が取り付けられる第２取り付け部と、
前記水平垂直偏波分波器の水平信号端子及び垂直信号端子にそれぞれ接続される第３コネクタ、及び第４コネクタと、
前記第３コネクタ、及び第４コネクタの周囲に設けられ、前記機器に取り付けられる機器取り付け部とを有し、
前記機器取り付け部は、前記アダプタ取り付け部と、バヨネット構造を構成し、前記機器取り付け部と前記アダプタ取り付け部とが係合されると、前記アダプタが前記機器に取り付けられるとともに、前記第１コネクタと前記第３コネクタ、及び前記第２コネクタと前記第４コネクタがそれぞれ接続される、通信装置。
【請求項２】
前記第２取り付け部は、前記反射鏡の取り付け部とバヨネット構造又はＶ座構造を構成し、前記第１取り付け部が前記反射鏡の中心部の開口部に挿入された状態で、前記第２取り付け部と前記反射鏡の取り付け部とを係合させることによって、前記アダプタに前記反射鏡が取り付けられる、請求項１に記載の通信装置。
【請求項３】
前記一次放射器は、前記第１取り付け部に取り付けられる取り付け部を有し、
前記一次放射器の取り付け部と、前記第１取り付け部とは、バヨネット構造を有し、
前記一次放射器の取り付け部と前記第１取り付け部とは、互いに係合させることによって取り付けられる、請求項１または２に記載の通信装置。
【請求項４】
前記円形導波管の開口部側に設けられ、前記円形導波管内を伝搬する水平偏波と垂直偏波の電波を円偏波に変換する円偏波変換器をさらに含む、請求項１から３のいずれか一項記載の通信装置。
【請求項５】
前記開口部を封止する誘電体製の第１シートと、
前記円形導波管の開口部に当接する一次放射器の開口部を封止する誘電体製の第２シートと、を有する、請求項１から４のいずれか一項に記載の通信装置。
【発明の詳細な説明】
【技術分野】
【０００１】
本発明は、通信装置、アダプタ、及び無線中継伝送装置に関する。
【背景技術】
【０００２】
従来より、緊急報道やスポーツ中継などで映像，音声を無線伝送するシステムとしてFPU（Field Pick-up Unit：無線中継伝送装置）が用いられている。映像信号をFPUで伝送する場合、中継車の屋上やビルの屋上に送信アンテナ（パラボラアンテナ）を設置して、ビルや山の上に設置した受信基地局に向けて映像信号を送信する。
【０００３】
一般には、CDバンド(6.426〜6.57GHz，6.873〜7.125GHz)やEFバンド（10.251〜10.449GHz， 10.552〜10.678GHz）の周波数帯を使用したFPUを用いて伝送しており、FPUのアンテナの給電部としては、例えば、特許文献１〜３に記載されている給電部が用いられる。
【０００４】
また、誘電体と反射板で構成されるアンテナは、例えば、特許文献４に記載されているものがある。
【０００５】
また、現在使用されているFPUは、単一偏波のものが一般的である。現在実現されているものは2種類あり、1つはN型コネクタをFPUの高周波部に1つ有しており、直接N型コネクタで一次放射器（同軸型）を接続するもの、もう1つはワンタッチで接続できるコネクタをFPUの高周波部に1つ有しており、同様に直接ワンタッチ型のコネクタに一次放射器（同軸型）を接続するものであった。いずれについてもFPUの高周波部に直接バヨネット、またはV座で反射鏡と接続ができるようになっており、FPU高周波部、反射鏡、一次放射器（同軸型）の3点で構成され、運用されている。
【先行技術文献】
【特許文献】
【０００６】
【特許文献１】実公昭62-30402号公報
【特許文献２】実開昭61-29503号公報
【特許文献３】特公昭59-27482号公報
【特許文献４】特開平11-4116号公報
【発明の概要】
【発明が解決しようとする課題】
【０００７】
従来の技術では下記の問題があった。 
ア）一次放射器が同軸型であり、２偏波（例えば、垂直偏波と水平偏波）を多重する電波を放射、または受信したい場合は、放射器が複雑な構造になる。
【０００８】
イ）アの構造で、円偏波の２偏波（右旋、左旋）を多重する電波を放射、または受信したい場合は、放射器が複雑な構造になる。
【０００９】
そこで、本発明は、偏波を多重して放射、または受信する際のＦＰＵ高周波部に２つの出力、または入力を有し、一次放射器、反射鏡を簡易に、確実に接続するインターフェースを有する通信装置、アダプタ、及び無線中継伝送装置を提供することを目的とする。
【課題を解決するための手段】
【００１０】
本発明の実施の形態の通信装置は、円形導波管を有する水平垂直偏波分波器を有するアダプタと、前記水平垂直偏波分波器の水平偏波部及び垂直偏波部にそれぞれ対応して設けられる第１アンプ及び第２アンプであって、前記円形導波管の開口部がある一側とは反対の他側に接続される第１アンプ及び第２アンプを有する機器と、を備え、前記機器は、前記第１アンプ及び第２アンプにそれぞれ接続される第１コネクタ、及び第２コネクタと、
前記前記第１コネクタ、及び前記第２コネクタの周囲に設けられ、前記アダプタが取り付けられるアダプタ取り付け部を有し、前記アダプタは、前記水平垂直偏波分波器の前記円形導波管の開口部がある一側に設けられ、一次放射器が取り付けられる第１取り付け部と、前記水平垂直偏波分波器の外周部に設けられ、反射鏡が取り付けられる第２取り付け部と、前記水平垂直偏波分波器の水平信号端子及び垂直信号端子にそれぞれ接続される第３コネクタ、及び第４コネクタと、前記第３コネクタ、及び第４コネクタの周囲に設けられ、前記機器に取り付けられる機器取り付け部とを有し、前記機器取り付け部は、前記アダプタ取り付け部と、バヨネット構造を構成し、前記機器取り付け部と前記アダプタ取り付け部とが係合されると、前記アダプタが前記機器に取り付けられるとともに、前記第１コネクタと前記第３コネクタ、及び前記第２コネクタと前記第４コネクタがそれぞれ接続される、通信装置。
【発明の効果】
【００１１】
従来のＦＰＵの大きさとほぼ変わらず、簡易に確実に組み立てが可能な２偏波を共用する通信装置、アダプタ、及び無線中継伝送装置を提供することができる。
【図面の簡単な説明】
【００１２】
【図１】実施の形態１の通信装置１００を示す図である。
【図２】アダプタ１１０を示す図である。
【図３】アダプタ１１０を示す図である。
【図４】ＦＰＵ高周波部１２０及び制御部１５０を示す図である。
【図５】一次放射器１３０を示す図である。
【図６】実施の形態１の変形例によるＦＰＵ高周波部１２０Ａと制御部１５０Ａを示す図である。
【図７】実施の形態２の通信装置２００を示す図である。
【図８】実施の形態２のＦＰＵ高周波部２２０及び制御部１５０を示す図である。
【図９】実施の形態３の通信装置３００を示す図である。
【図１０】実施の形態３のアダプタ３１０を示す図である。
【図１１】実施の形態４によるアダプタ１１０Ａを示す図である。
【図１２】実施の形態４のＦＰＵ高周波部２２０Ａを示す図である。
【図１３】実施の形態５の通信装置５００を示す図である。
【図１４】アダプタ５１０とＦＰＵ高周波部５２０を示す図である。
【図１５】アダプタ５１０とＦＰＵ高周波部５２０を示す図である。
【図１６】取り付け部５１５Ａ１と、取り付け部５１５Ａ２及び５２１とを組み付ける前の状態を示す図である。
【図１７】実施の形態５の変形例の通信装置５００Ａを示す図である。
【発明を実施するための形態】
【００１３】
以下、本発明の通信装置、アダプタ、及び無線中継伝送装置を適用した実施の形態について説明する。
【００１４】
＜実施の形態１＞
図１は、実施の形態１の通信装置１００を示す図である。
【００１５】
通信装置１００は、アダプタ１１０、ＦＰＵ高周波部１２０、一次放射器１３０、及び反射鏡１４０を含む。一次放射器１３０と制御部１５０は、ＦＰＵ（無線中継伝送装置）である。
【００１６】
ＯＭＴ（Orthogonal Mode Transducer：水平垂直偏波分波器）を有するアダプタ１１０とＦＰＵ高周波部１２０は、Ｎ型コネクタによって直接的に接続されている。また、ＦＰＵ高周波部１２０には、制御部１５０が接続されている。また、アダプタ１１０には、一次放射器１３０と反射鏡１４０が直接的に固定されている。
【００１７】
通信装置１００は、上述のように、ＯＭＴを有するアダプタ１１０とＦＰＵ高周波部１２０を直接的に接続するとともに、アダプタ１１０に一次放射器１３０と反射鏡１４０を直接的に固定することにより、一次放射器１３０とＦＰＵ高周波部１２０との間における伝送損失を最小限に抑制する。
【００１８】
図２及び図３は、アダプタ１１０を示す図である。図２（Ａ）は、Ｘ軸負方向側からアダプタ１１０のＹＺ平面構成を示す図であり、図２（Ｃ）は、Ｘ軸正方向側からアダプタ１１０のＹＺ平面構成を示す図であり、図２（Ｂ）は、図２（Ａ）、（Ｃ）におけるＡ１−Ａ２矢視断面の構成を示す図である。図３は、図２に示すアダプタ１１０を簡略化して示す図である。
【００１９】
アダプタ１１０は、導波管本体１１１、コネクタ１１２、１１３、カバー１１４、取り付け部１１４Ａ、取り付け部１１５Ａ２、取り付け部１１５Ｂ、及びテフロンシート１１６を含む。アダプタ１１０は、所謂ＯＭＴ（Orthogonal Mode Transducer：水平垂直偏波分波器）である。
【００２０】
導波管本体１１１は、Ｘ軸方向に長手方向を有する円筒状の部材（円形導波管）であり、長手方向に垂直な断面が円形の円形導波路１１１Ａが内部に形成されている。円形導波路１１１Ａは、Ｘ軸正方向側に円形に開口された開口部１１１Ｂを有し、Ｘ軸負方向側の端部は壁部１１１Ｃで閉じられている。導波管本体１１１のＸ軸正方向側の端部の取り付け部１１４Ａには、テフロンシート１１６が設けられている。テフロンシート１１６は、開口部１１１Ｂを封止するテフロン（登録商標）製のシート状の部材である。
【００２１】
また、円形導波路１１１Ａの内部には、ピン１１１Ｄ、１１１Ｅ、反射部１１１Ｆが設けられている。ピン１１１Ｄは、水平偏波の電波を放射するために設けられており、ピン１１１Ｅは、垂直偏波の電波を放射するために設けられている。ピン１１１Ｄ、１１１Ｅは、導波管本体１１１の外周壁部を貫通する孔部に通されており、導波管本体１１１とは絶縁されている。反射部１１１Ｆは、Ｘ軸正方向側から伝搬する垂直偏波の電波を反射するために設けられている。
【００２２】
このため、図２（Ｃ）に示すように、ピン１１１Ｄと１１１Ｅの位置は、円形導波路１１１Ａの円形の断面内で、円形導波路１１１Ａの中心軸に対して、円周方向に９０度異なる位置に配設されている。
【００２３】
なお、一次放射器１３０の導波管１３１は、Ｘ軸方向に長手方向を有する円筒状の部材であり、長手方向に垂直な断面が円形の円形導波路が内部に形成されている。導波管１３１には、パラボラアンテナ用の放射器１３２が取り付けられている。
【００２４】
コネクタ１１２は、ピン１１２Ａと嵌合部１１２Ｂを有し、カバー１１４のＸ軸負方向側の端面に配置されている。コネクタ１１２は、メス型の同軸コネクタであり、カバー１１４のＸ軸負方向側の端面から凹む形でオフセットして設けられている。
【００２５】
ピン１１２Ａは信号線用で、嵌合部１１２Ｂはグランド電位（基準電位）用である。ピン１１２Ａは配線１１８を介してピン１１１Ｄに接続されている。嵌合部１１２Ｂは、導波管本体１１１に接続されている。
【００２６】
コネクタ１１３は、ピン１１３Ａと嵌合部１１３Ｂを有し、カバー１１４のＸ軸負方向側の端面に配置されている。コネクタ１１３は、メス型の同軸コネクタであり、コネクタ１１２と同様に、カバー１１４のＸ軸負方向側の端面から凹む形でオフセットして設けられている。
【００２７】
ピン１１３Ａは信号線用で、嵌合部１１３Ｂはグランド電位（基準電位）用である。ピン１１３Ａは配線１１９を介してピン１１１Ｅに接続されている。嵌合部１１３Ｂは、導波管本体１１１に接続されている。
【００２８】
なお、コネクタ１１２、１１３は、例えば、オス型のＮ型同軸コネクタを用いることができる。
【００２９】
カバー１１４は、導波管本体１１１の周囲を覆うように取り付けられている円柱状の部材である。カバー１１４は、導波管本体１１１の開口部以外の部分を覆っている。カバー１１４のＸ軸正方向側の端部には取り付け部１１４Ａが設けられている。
【００３０】
取り付け部１１４Ａは、一次放射器１３０を取り付けるためのインターフェースとなる部分である。取り付け部１１４Ａは、例えば、一次放射器１３０のフランジ等を取り付ける受け部の構造を有する。
【００３１】
取り付け部１１５Ａ２は、カバー１１４の外周に設けられ、反射鏡１４０を取り付けるためのインターフェースとなる部材である。取り付け部１１５Ａ２は、開口部１１１Ｂがある側において、カバー１１４の外周に設けられる。取り付け部１１５Ａ２は、反射鏡１４０の裏面に設けられる取り付け部１１５Ａ１と係合する。また、取り付け部１１５Ｂは、取り付け部１１５Ａ２とはＹ軸方向における反対側においてカバー１１４の外周に設けられ、ＦＰＵ高周波部１２０を取り付けるためのインターフェースとなる部材である。取り付け部１１５Ｂは、コネクタ１１２、１１３がある側において、カバー１１４の外周に設けられる。取り付け部１１５Ａ１と取り付け部１１５Ａ１のうち、係合させる際に回転させる方の外周部には、手で回転させる際の滑りを抑制する滑り止めや、手が引っ掛かるようにするための突出部を設ければよい。
【００３２】
取り付け部１１５Ａ１と１１５Ａ２とは、取り付け部１１５Ａを構築する。取り付け部１１５Ａ１と１１５Ａ２とは、例えば、バヨネット構造、又は、Ｖ座構造を有する。バヨネット構造の場合は、バヨネットを締め付けることによってアダプタ１１０に反射鏡１４０を取り付ける。また、Ｖ座構造の場合は、反射鏡１４０側にＶ座構造に対応するＶ字状のフランジを取り付け、反射鏡１４０に取り付けられたＶ字状のフランジをＶ座に差し込むことによってアダプタ１１０に反射鏡１４０を取り付ける。このような取り付け部１１５Ａを用いれば、反射鏡１４０の裏面に設けられる取り付け部１１５Ａ１とカバー１１４の外周に設けられる取り付け部１１５Ａ２とを係合させることにより、反射鏡１４０を高い位置決め精度でアダプタ１１０に取り付けることができる。また、取り付け部１１５Ｂは、取り付け部１１５Ａ１又は１１５Ａ２と同様に、例えば、バヨネット構造、又は、Ｖ座構造を有する。
【００３３】
なお、取り付け部１１５Ａ及び１１５Ｂは、容易かつ確実に、高い位置決め精度でアダプタ１１０に反射鏡１４０を取り付けることができれば、その他の構成であってもよい。
【００３４】
テフロンシート１１６は、開口部１１１Ｂを封止するテフロン製のシート状の部材であり、導波管本体１１１の内部への水や埃の侵入を防ぐために用いられる。なお、ここでは、テフロン製のシートを用いる形態について説明するが、テフロンシート１１６の代わりに、他の樹脂材料性で同様の形状を有するシート状の部材を用いてもよい。
【００３５】
配線１１８は、コネクタ１１２のピン１１２Ａと、円形導波路１１１Ａの内部のピン１１１Ｄとを接続している。配線１１８は、導波管本体１１１から絶縁された状態で、ピン１１２Ａとピン１１１Ｄを接続できる配線であればよく、ピン１１１Ｄ側では導波管本体１１１の外周面に沿って設けられている。
【００３６】
配線１１９は、コネクタ１１３のピン１１３Ａと、円形導波路１１１Ａの内部のピン１１１Ｅとを接続している。配線１１９は、導波管本体１１１から絶縁された状態で、ピン１１３Ａとピン１１１Ｅを接続できる配線であればよく、ピン１１１Ｅ側では導波管本体１１１の外周面に沿って設けられている。
【００３７】
以上のような構成のアダプタ１１０は、水平偏波の電波と垂直偏波の電波とを分離し、コネクタ１１２と導波管１３１との間で水平偏波の電波を伝送することができるとともに、コネクタ１１３と導波管１３１との間で垂直偏波の電波を伝送することができる。
【００３８】
以下では、図２に示すアダプタ１１０を簡略化して、図３に示すアダプタ１１０を用いて説明する。図３に示すアダプタ１１０は、図２に示すアダプタ１１０とは向きが異なる。
【００３９】
図４は、ＦＰＵ高周波部１２０及び制御部１５０を示す図である。
【００４０】
ＦＰＵ高周波部１２０は、筐体１２１、突出部１２２、取り付け部１２２Ａ、コネクタ１２３Ａ、１２３Ｂ、共用器１２４Ａ、１２４Ｂ、ＣＤバンドＰＡ(Power Amplifier)１２５Ａ、ＥＦバンドＰＡ１２５Ｂ、ＣＤバンドＰＡ１２６Ａ、ＥＦバンドＰＡ１２６Ｂ、ＩＦ分配器・アップコンバータ１２７Ａ、ＩＦ分配器・アップコンバータ１２７Ｂ、及びＩＦ分離器１２８を含む。また、制御部１５０は、ＩＦ(Intermediate Frequency)混合器１５１、変調器１５２Ａ、変調器１５２Ｂを含む。
【００４１】
筐体１２１は、共用器１２４Ａ、１２４Ｂ、ＣＤバンドＰＡ１２５Ａ、ＥＦバンドＰＡ１２５Ｂ、ＣＤバンドＰＡ１２６Ａ、ＥＦバンドＰＡ１２６Ｂを収容する筐体であり、例えば、アルミニウム又はステンレス等の金属製である。
【００４２】
突出部１２２は、筐体１２１のＸ軸正方向側に突出する円筒状の部分であり、外周部に取り付けられる取り付け部１２２Ａを有する。取り付け部１２２Ａは、バヨネット構造、又は、ワンプッシュ構造を有し、取り付け部１１５Ｂと協働して、ＦＰＵ高周波部１２０をアダプタ１１０に取り付ける。取り付け部１２２Ａと取り付け部１１５Ｂがバヨネット構造の場合は、取り付け部１２２Ａと取り付け部１１５Ｂのバヨネットを締め付けることによってＦＰＵ高周波部１２０の筐体１２１をアダプタ１１０に取り付ける。また、ワンプッシュ構造の場合は、取り付け部１２２Ａのワンプッシュ構造をアダプタ１１０側の取り付け部１１５Ｂと係合させて取り付ける。
【００４３】
なお、取り付け部１２２Ａは、容易かつ確実にＦＰＵ高周波部１２０をアダプタ１１０に取り付けることができれば、その他の構成であってもよい。また、取り付け部１２２Ａには、アダプタ１１０のコネクタ１１２、１１３と、コネクタ１２３Ａ、１２３Ｂとが接続された状態で、コネクタ１１２、１１３と、コネクタ１２３Ａ、１２３Ｂとの外周を覆うカバーが設けられていてもよい。このようなカバーは、例えば、アダプタ１１０側の円筒状のねじと、ＦＰＵ高周波部１２０側の円筒状のねじとを係合させて、係合した円筒部でコネクタ１１２、１１３と、コネクタ１２３Ａ、１２３Ｂとの外周を覆う構成であればよい。
【００４４】
コネクタ１２３Ａ、１２３Ｂは、突出部１２２の先端から突出しており、Ｚ軸方向に並べて配置されている。コネクタ１２３Ａ、１２３Ｂは、例えば、メス型のＮ型コネクタを用いることができる。
【００４５】
図４（Ａ）では、コネクタ１２３Ａ、１２３Ｂと共用器１２４Ａ、１２４Ｂとの間の信号線が重複して見えるが、コネクタ１２３Ａは、共用器１２４Ａに接続されており、コネクタ１２３Ｂは、共用器１２４Ｂに接続されている。
【００４６】
共用器１２４Ａ、１２４Ｂは、アンテナ共用器であり、分波器として機能する。共用器１２４Ａは、コネクタ１２３Ａと、ＣＤバンドＰＡ１２５Ａ又はＥＦバンドＰＡ１２５Ｂとを接続する。共用器１２４Ｂは、コネクタ１２３Ｂと、ＣＤバンドＰＡ１２６Ａ又はＥＦバンドＰＡ１２６Ｂとを接続する。
【００４７】
ＣＤバンドＰＡ１２５Ａは、１チャンネル（＃１）でＣＤバンドで送信を行う場合に用いるＰＡである。ＥＦバンドＰＡ１２５Ｂは、１チャンネル（＃１）でＥＦバンドで送信を行う場合に用いるＰＡである。
【００４８】
ＣＤバンドＰＡ１２６Ａは、２チャンネル（＃２）でＣＤバンドで送信を行う場合に用いるＰＡである。ＥＦバンドＰＡ１２６Ｂは、２チャンネル（＃２）でＥＦバンドで送信を行う場合に用いるＰＡである。ＩＦ分配器・アップコンバータ１２７Ａは、１チャンネル（＃１）用のアップコンバータであり、ＣＤバンドＰＡ１２５Ａ及びＥＦバンドＰＡ１２５Ｂと、ＩＦ分離器１２８との間に設けられている。ＩＦ分配器・アップコンバータ１２７Ｂは、２チャンネル（＃２）用のアップコンバータであり、ＣＤバンドＰＡ１２６Ａ及びＥＦバンドＰＡ１２６Ｂと、ＩＦ分離器１２８との間に設けられている。ＩＦ分離器１２８は、ＩＦ分配器・アップコンバータ１２７Ａ及び１２７Ｂと、制御部１５０のＩＦ混合器１５１とを接続する。ＩＦ分離器１２８は、ＩＦ混合器１５１から入力される信号を分離してＩＦ分配器・アップコンバータ１２７Ａと１２７Ｂとに出力する。ＩＦ混合器１５１には、変調器１５２Ａ及び変調器１５２Ｂが接続されている。ＩＦ混合器１５１は、変調器１５２Ａと変調器１５２Ｂとから入力される信号を混合してＩＦ分離器１２８に出力する。
【００４９】
図５は、一次放射器１３０を示す図である。
【００５０】
一次放射器１３０は、導波管１３１、放射器１３２、取り付け部１３３、テフロンシート１３４を有する。一次放射器１３０は、スプラッシュプレート型の一次放射器である。
【００５１】
導波管１３１は、Ｘ軸方向に長手方向を有する円筒状の部材であり、長手方向に垂直な断面が円形の円形導波路が内部に形成されている。
【００５２】
導波管１３１には、パラボラアンテナ用の放射器１３２、取り付け部１３３、及びテフロンシート１３４が取り付けられている。導波管１３１の取り付け部１３３は、アダプタ１１０のＸ軸正方向側の端部（図１参照）にある取り付け部１１４Ａに取り付けられる。
【００５３】
取り付け部１３３は、一次放射器１３０をアダプタ１１０に取り付けるための取り付け部であり、例えば、バヨネット構造を有する。取り付け部１３３のバヨネットを締め付けることによって一次放射器１３０をアダプタ１１０のテフロンシート１１６が設けられている側に取り付ける。このとき、テフロンシート１３４とテフロンシート１１６とが当接し、密着することになる。なお、通信装置１００は、テフロンシート１３４とテフロンシート１１６とのいずれか一方のみを含む構成であってもよい。
【００５４】
反射鏡１４０（図１参照）は、バラボラアンテナ用の反射鏡であり、取り付け部１１５Ａ１が中心部の裏面に取り付けられている。反射鏡１４０の裏面の取り付け部１１５Ａ１と、アダプタ１１０に取り付けられている取り付け部１１５Ａ２とを係合させることによって、反射鏡１４０はアダプタ１１０に固定される。反射鏡１４０は、中心部に、アダプタ１１０のカバー１１４が挿通される貫通孔を有する。反射鏡１４０の中心部の貫通孔にアダプタ１１０のカバー１１４を挿通させた状態で、反射鏡１４０の裏面の取り付け部１１５Ａ１と、アダプタ１１０に取り付けられている取り付け部１１５Ａ２とを係合させることによって、反射鏡１４０はアダプタ１１０に固定される。
【００５５】
実施の形態１の通信装置１００は、上述のように、ＯＭＴを有するアダプタ１１０のコネクタ１１２、１１３と、ＦＰＵ高周波部１２０のコネクタ１２３Ａ、１２３Ｂとを接続することにより、アダプタ１１０とＦＰＵ高周波部１２０を伝送損失が少ない接続形態で、容易かつ確実に接続することができる。
【００５６】
また、一次放射器１３０の取り付け部１３３のバヨネットを締め付けることによって一次放射器１３０をアダプタ１１０に直接的に取り付ける。従って、一次放射器１３０をアダプタ１１０に、伝送損失が少ない接続形態で、容易かつ確実に取り付けることができる。
【００５７】
また、バヨネット構造又はＶ座構造等の取り付け部１１５Ａを用いてアダプタ１１０に反射鏡１４０を取り付けるので、反射鏡１４０を高い位置決め精度でアダプタ１１０に取り付けることができる。この結果、一次放射器１３０と反射鏡１４０との間における放射漏れが低減され、伝送損失を低減できる。
【００５８】
以上、実施の形態１によれば、従来のＦＰＵの大きさとほぼ変わらず、簡易に確実に組み立てが可能な２偏波を共用する通信装置１００を実現することができる。
【００５９】
また、ＯＭＴを有するアダプタ１１０、ＦＰＵ高周波部１２０、一次放射器１３０、反射鏡１４０を伝送損失を最小限に抑制した状態で、位置合わせの精度を担保しつつ容易かつ確実に組み付けることができる通信装置１００を提供することができる。
【００６０】
伝送損失を最小限に抑制できるのは、ＯＭＴを有するアダプタ１１０とＦＰＵ高周波部１２０とをコネクタ１１２、１１３と、コネクタ１２３Ａ、１２３Ｂとによって直接的に接続しており、アダプタ１１０とＦＰＵ高周波部１２０との間に変換器等を介していない構成を有するからである。
【００６１】
また、位置合わせの精度を担保しつつ容易かつ確実に組み付けることができるのは、アダプタ１１０と一次放射器１３０とを取り付け部１１４Ａと取り付け部１３３とで位置決めをしつつ、簡単に組み付けられることと、アダプタ１１０とＦＰＵ高周波部１２０とをコネクタ１１２、１１３と、コネクタ１２３Ａ、１２３Ｂとによって直接的に接続できることと、アダプタ１１０の取り付け部１１５Ａに反射鏡を位置決めをしつつ簡単に組み付けられることとを実現しているからである。
【００６２】
また、通信装置１００は、ＦＰＵ（無線中継伝送装置）であるため、屋外で簡易的に設置される場合がある。アダプタ１１０と一次放射器１３０をテフロンシート１１６及び１３４を介して接続しているため、例えば、雨天の場合であっても、ＯＭＴを有するアダプタ１１０の内部に水が入ることを抑制できる。また、埃が入ることも抑制できる。
【００６３】
従って、水や埃の侵入によるＯＭＴの特性の劣化が抑制され、伝送特性の良好な通信装置１００を提供することができる。
【００６４】
なお、ここでは、コネクタ１１２、１１３とコネクタ１２３Ａ、１２３ＢにＮ型コネクタを用いることによって伝送損失を低減する形態について説明したが、伝送損失が少ないコネクタであれば、Ｎ型コネクタ以外のコネクタを用いてもよい。
【００６５】
また、取り付け部１１５Ａは、アダプタ１１０に反射鏡１４０を高い位置決め精度で容易かつ確実に取り付けることができるのであれば、バヨネット構造又はＶ座構造以外の構成であってもよい。
【００６６】
また、取り付け部１３３は、伝送損失が少ない接続形態で、一次放射器１３０をアダプタ１１０に容易かつ確実に取り付けることができれば、バヨネット構造以外のものであってもよい。
【００６７】
また、以上では、ＦＰＵ高周波部１２０が送信用の形態について説明したが、受信用の形態であってもよい。
【００６８】
図６は、実施の形態１の変形例によるＦＰＵ高周波部１２０Ａと制御部１５０Ａを示す図である。
【００６９】
ＦＰＵ高周波部１２０Ａは、筐体１２１、突出部１２２、取り付け部１２２Ａ、コネクタ１２３Ａ、１２３Ｂ、共用器１２４Ａ、１２４Ｂ、ＣＤバンドＬＮＡ（Low Noise Amplifier）１２５Ａ１、ＥＦバンドＬＮＡ１２５Ｂ１、ＣＤバンドＬＮＡ１２６Ａ１、ＥＦバンドＬＮＡ１２６Ｂ１、ＩＦ分配器・ダウンコンバータ１２７Ａ１、ＩＦ分配器・ダウンコンバータ１２７Ｂ１、及びＩＦ合成器１２８Ａを含む。また、制御部１５０Ａは、ＩＦ分離器１５１Ａ、復調器１５２Ａ１、復調器１５２Ｂ１を含む。
【００７０】
ＦＰＵ高周波部１２０Ａは、図４に示すＦＰＵ高周波部１２０のＣＤバンドＰＡ１２５Ａ、ＥＦバンドＰＡ１２５Ｂ、ＣＤバンドＰＡ１２６Ａ、ＥＦバンドＰＡ１２６Ｂ、ＩＦ分配器・アップコンバータ１２７Ａ、ＩＦ分配器・アップコンバータ１２７Ｂ、及びＩＦ分離器１２８を受信用のＣＤバンドＬＮＡ１２５Ａ１、ＥＦバンドＬＮＡ１２５Ｂ１、ＣＤバンドＬＮＡ１２６Ａ１、ＥＦバンドＬＮＡ１２６Ｂ１、ＩＦ分配器・ダウンコンバータ１２７Ａ１、ＩＦ分配器・ダウンコンバータ１２７Ｂ１、及びＩＦ合成器１２８Ａに置き換えた構成を有する。また、制御部１５０Ａは、制御部１５０のＩＦ混合器１５１、変調器１５２Ａ、変調器１５２Ｂを、ＩＦ分離器１５１Ａ、復調器１５２Ａ１、復調器１５２Ｂ１に置き換えた構成を有する。
【００７１】
このようなＦＰＵ高周波部１２０Ａと制御部１５０ＡをＦＰＵ高周波部１２０と制御部１５０（図４参照）の代わりに用いれば、通信装置１００で映像信号を受信することができる。
【００７２】
＜実施の形態２＞
図７は、実施の形態２の通信装置２００を示す図である。
【００７３】
通信装置２００は、ＦＰＵ高周波部２２０、一次放射器１３０、反射鏡１４０、及び制御部１５０を含む。通信装置２００は、ＦＰＵ（無線中継伝送装置）である。通信装置２００は、実施の形態１の通信装置１００のアダプタ１１０とＦＰＵ高周波部１２０を組み合わせたような構成を有する。なお、以下では、実施の形態１の通信装置１００と同様の構成要素には同一符号を付し、その説明を省略する。また、以下では、ＦＰＵ高周波部２２０を示す図８も用いて説明する。図８は、実施の形態２のＦＰＵ高周波部２２０及び制御部１５０を示す図である。
【００７４】
ＦＰＵ高周波部２２０は、筐体２２１、突出部２２２、導波管本体１１１、配線２１８、配線２１９、取り付け部２１５、共用器１２４Ａ、１２４Ｂ、ＣＤバンドＰＡ１２５Ａ、ＥＦバンドＰＡ１２５Ｂ、ＣＤバンドＰＡ１２６Ａ、ＥＦバンドＰＡ１２６Ｂを含む。取り付け部２１５は、取り付け部２１５Ａ１と取り付け部２１５Ａ２とを有する。
【００７５】
なお、図７では、ＯＭＴに関する構成要素を簡略化して、導波管本体１１１、配線２１８、配線２１９を示すが、図２及び図３に示す構成要素のうちのコネクタ１１２、１１３、カバー１１４、及び取り付け部１１５Ａ以外の構成要素は、ＦＰＵ高周波部２２０に含まれる。
【００７６】
筐体２２１は、導波管本体１１１、配線２１８、配線２１９、共用器１２４Ａ、１２４Ｂ、ＣＤバンドＰＡ１２５Ａ、ＥＦバンドＰＡ１２５Ｂ、ＣＤバンドＰＡ１２６Ａ、ＥＦバンドＰＡ１２６Ｂを収容する筐体であり、例えば、アルミニウム又はステンレス等の金属製である。
【００７７】
突出部２２２は、筐体２２１のＸ軸正方向側に突出する部分であり、バヨネット構造又はワンプッシュ構造によって実現される取り付け部２１５が外周部に取り付けられている。突出部２２２は、一次放射器１３０を取り付けるとともに、外周に取り付けられる取り付け部２１５Ａ２に取り付け部２１５Ａ１を介して反射鏡１４０を取り付けるために設けられている。突出部２２２のＸ軸正方向側の端部には、テフロンシート１１６が設けられている。
【００７８】
反射鏡１４０は、取り付け部２１５Ａ１と２１５Ａ２とによってＦＰＵ高周波部２２０に固定される。反射鏡１４０は、中心部に、突出部２２２が挿通される貫通孔を有する。反射鏡１４０に取り付けられる取り付け部２１５Ａ１のバヨネット構造又はＶ座構造等と、ＦＰＵ高周波部２２０の突出部２２２に取り付けられる取り付け部２１５Ａ２のバヨネット構造又はＶ座構造等とを係合させることによって、反射鏡１４０はＦＰＵ高周波部２２０の突出部２２２に取り付けられる。また、このとき、テフロンシート１１６及び１３４を介して一次放射器１３０を取り付ける。なお、取り付け部２１５Ａ１と２１５Ａ２は、ワンプッシュ構造であってもよい。
【００７９】
なお、突出部２２２及び取り付け部２１５は、容易かつ確実にＦＰＵ高周波部２２０と一次放射器１３０を取り付けることができれば、その他の構成であってもよい。
【００８０】
取り付け部２１５は、突出部２２２の外周部に設けられている。取り付け部２１５は、実施の形態１の取り付け部１１５Ａと同様に、例えば、バヨネット構造、又は、Ｖ座構造を有し、反射鏡１４０を高い位置決め精度でＦＰＵ高周波部２２０に取り付けることができる。
【００８１】
なお、取り付け部２１５は、容易かつ確実に、高い位置決め精度でＦＰＵ高周波部１２０に反射鏡１４０を取り付けることができれば、その他の構成であってもよい。
【００８２】
導波管本体１１１は、筐体２２１の内部から突出部２２２の内部にわたって延在している。導波管本体１１１の突出部２２２側の端部は開口しており、テフロンシート１１６及び１３４を介して一次放射器１３０が取り付けられる。
【００８３】
配線２１８は、円形導波路１１１Ａの内部のピン１１１Ｄ（図２参照）と共用器１２４Ａを接続している。配線２１９は、円形導波路１１１Ａの内部のピン１１１Ｅ（図２参照）と共用器１２４Ｂを接続している。
【００８４】
実施の形態２の通信装置２００は、上述のように、ＯＭＴを有するＦＰＵ高周波部２２０の突出部２２２に一次放射器１３０を直接的に取り付けるので、一次放射器１３０をＦＰＵ高周波部２２０に、伝送損失が少ない接続形態で、容易かつ確実に取り付けることができる。
【００８５】
また、通信装置２００は、上述のように、ＯＭＴを有するＦＰＵ高周波部２２０の取り付け部２１５に反射鏡１４０を取り付けるので、反射鏡１４０を高い位置決め精度でＦＰＵ高周波部２２０に取り付けることができる。この結果、一次放射器１３０と反射鏡１４０との間における放射漏れが低減され、伝送損失を低減できる。
【００８６】
以上、実施の形態２によれば、従来のＦＰＵの大きさとほぼ変わらず、簡易に確実に組み立てが可能な２偏波を共用する通信装置２００を実現することができる。
【００８７】
また、ＯＭＴを有するＦＰＵ高周波部２２０、一次放射器１３０、反射鏡１４０を伝送損失を最小限に抑制した状態で、容易かつ確実に組み付けることができる通信装置２００を提供することができる。
【００８８】
通信装置２００は、ＦＰＵ（無線中継伝送装置）であるため、屋外で簡易的に設置される場合がある。ＦＰＵ高周波部２２０と一次放射器１３０をテフロンシート１１６及び１３４を介して接続しているため、例えば、雨天の場合であっても、ＯＭＴを有する導波管本体１１１の内部に水が入ることを抑制できる。また、埃が入ることも抑制できる。
【００８９】
従って、水や埃の侵入によるＯＭＴの特性の劣化が抑制され、伝送特性の良好な通信装置２００を提供することができる。
【００９０】
なお、以上では、ＦＰＵ高周波部２２０が送信用の形態について説明したが、受信用の形態であってもよい。受信用にするには、ＣＤバンドＰＡ１２５Ａ、ＥＦバンドＰＡ１２５Ｂ、ＣＤバンドＰＡ１２６Ａ、ＥＦバンドＰＡ１２６Ｂを受信用のＬＮＡ１２５Ａ１、ＥＦバンドＬＮＡ１２５Ｂ１、ＣＤバンドＬＮＡ１２６Ａ１、ＥＦバンドＬＮＡ１２６Ｂ１（図６参照）に置き換えればよく、通信装置２００で映像信号を受信することができる。
【００９１】
＜実施の形態３＞
図９は、実施の形態３の通信装置３００を示す図である。
【００９２】
通信装置３００は、ＦＰＵ高周波部２２０、制御部１５０、及びアダプタ３１０を含む。通信装置３００は、ＦＰＵ（無線中継伝送装置）である。通信装置３００は、実施の形態２の通信装置２００のＦＰＵ高周波部２２０に、Ｎ型コネクタに変換するアダプタ３１０を接続した構成を有する。アダプタ３１０に図３に示すアダプタ１１０を取り付けて、アダプタ１１０に一次放射器１３０と反射鏡１４０を取り付けることができる。
【００９３】
なお、以下では、実施の形態２のＦＰＵ高周波部２２０及び制御部１５０と同様の構成要素には同一符号を付し、その説明を省略する。
【００９４】
また、以下では、アダプタ３１０を示す図１０も用いて説明する。図１０は、実施の形態３のアダプタ３１０を示す図である。
【００９５】
ＦＰＵ高周波部２２０は、実施の形態２のＦＰＵ高周波部２２０と同様であるが、突出部２２２に一次放射器１３０は取り付けられず、アダプタ３１０が取り付けられる。また、取り付け部２１５Ａ１は反射鏡１４０ではなく、アダプタ３１０に取り付けられる。
【００９６】
アダプタ３１０は、導波管本体３１１、コネクタ３１２、３１３、取り付け部２１５Ａ１、カバー３１４、取り付け部３１５、テフロンシート３１６、及び配線３１８、３１９を含む。アダプタ３１０は、所謂ＯＭＴを逆方向に用いた変換器である。
【００９７】
導波管本体３１１は、Ｘ軸方向に長手方向を有する円筒状の部材であり、長手方向に垂直な断面が円形の円形導波路が内部に形成されている。
【００９８】
コネクタ３１２、３１３は、カバー３１４のＸ軸正方向側の端部に設けられており、オス型の同軸コネクタである。コネクタ３１２、３１３は、図４（Ｂ）に示すＦＰＵ高周波部１２０のコネクタ１２３Ａ、１２３Ｂと同様に、Ｚ軸方向に２つ並べて配置されている。
【００９９】
取り付け部２１５Ａ１は、実施の形態２で反射鏡１４０に取り付けられている取り付け部２１５Ａ１と同じバヨネット構造又はＶ座構造等を有し、実施の形態３ではアダプタ３１０に取り付けられている。アダプタ３１０に取り付けられる取り付け部２１５Ａ１をＦＰＵ高周波部２２０に取り付けられている取り付け部２１５Ａ２のバヨネット構造又はＶ座構造等と係合させることによって、アダプタ３１０はＦＰＵ高周波部２２０に取り付けられる。
【０１００】
カバー３１４は、図２及び図３に示すアダプタ１１０のカバー１１４と同様である。カバー３１４のＸ軸負方向側の端部には取り付け部３１５が位置し、取り付け部３１５には導波管本体３１１の開口部が位置する。開口部はテフロンシート３１６によって封止される。なお、取り付け部２１５Ａ１は、ＹＺ平面視で、取り付け部３１５の周囲を覆うように配設されているため、取り付け部３１５は、ＹＺ平面視で取り付け部２１５Ａ１の中央部に位置する。
【０１０１】
取り付け部２１５Ａ１は、取り付け部２１５Ａ２と係合し、取り付け部３１５は、テフロンシート３１６及び１１６を介して突出部２２２と係合する。
【０１０２】
テフロンシート３１６は、アダプタ１１０のテフロンシート１１６と同様であり、取り付け部３１５に表出する導波管本体３１１の開口部を封止する。
【０１０３】
配線３１８、３１９は、アダプタ１１０の配線１１８、１１９と同様である。配線３１８は、円形導波路１１１Ａの内部のピン１１１Ｄ（図２参照）と同様のピンと、コネクタ３１２とを接続している。配線３１９は、円形導波路１１１Ａの内部のピン１１１Ｅ（図２参照）と同様のピンと、コネクタ３１３を接続している。
【０１０４】
このようなアダプタ３１０は、ＦＰＵ高周波部２２０の導波管本体１１１から伝送される垂直偏波と水平偏波の電波をコネクタ３１２、３１３から出力する。
【０１０５】
すなわち、アダプタ３１０は、ＦＰＵ高周波部２２０の導波管本体１１１をオス型のＮ型コネクタに変換することができる。
【０１０６】
従って、コネクタ３１２、３１３をアダプタ１１０のコネクタ１１２、１１３に接続することができる。そして、アダプタ１１０に一次放射器１３０と反射鏡１４０を取り付けることができる。
【０１０７】
実施の形態３の通信装置３００は、上述のように、ＯＭＴを有するＦＰＵ高周波部２２０の突出部２２２にテフロンシート１１６及び３１６を介して、アダプタ３１０を取り付けることができる。
【０１０８】
従って、実施の形態３によれば、従来のＦＰＵの大きさとほぼ変わらず、簡易に確実に組み立てが可能な２偏波を共用する通信装置３００を実現することができる。
【０１０９】
また、実施の形態３によれば、ＯＭＴを有するＦＰＵ高周波部２２０の導波管本体１１１と、アダプタ３１０の導波管本体３１１とを高精度に、伝送損失を最小限に抑制した状態で、容易かつ確実に組み付けることができる通信装置３００を提供することができる。
【０１１０】
通信装置３００は、ＦＰＵ（無線中継伝送装置）であるため、屋外で簡易的に設置される場合がある。ＦＰＵ高周波部２２０とアダプタ３１０をテフロンシート１１６及び３１６を介して接続しているため、例えば、雨天の場合であっても、ＯＭＴを有する導波管本体１１１、３１１の内部に水が入ることを抑制できる。また、埃が入ることも抑制できる。
【０１１１】
従って、水や埃の侵入によるＯＭＴの特性の劣化が抑制され、伝送特性の良好な通信装置３００を提供することができる。
【０１１２】
なお、以上では、ＦＰＵ高周波部２２０が送信用の形態について説明したが、受信用の形態であってもよい。受信用にするには、ＣＤバンドＰＡ１２５Ａ、ＥＦバンドＰＡ１２５Ｂ、ＣＤバンドＰＡ１２６Ａ、ＥＦバンドＰＡ１２６Ｂを受信用のＬＮＡ１２５Ａ１、ＥＦバンドＬＮＡ１２５Ｂ１、ＣＤバンドＬＮＡ１２６Ａ１、ＥＦバンドＬＮＡ１２６Ｂ１（図６参照）に置き換えればよく、通信装置３００で映像信号を受信することができる。
【０１１３】
＜実施の形態４＞
図１１は、実施の形態４によるアダプタ１１０Ａを示す図である。
【０１１４】
アダプタ１１０Ａは、図３に示すアダプタ１１０をＸ軸方向に少し長くして、導波管本体１１１のＸ軸正方向側の端部に円偏波発生器１１７を設けたものである。円偏波発生器１１７は、垂直偏波と水平偏波の電波を右旋回と左旋回の円偏波の電波に変換できるものであれば、どのような構成であってもよい。また、円偏波発生器１１７は、右旋回と左旋回の円偏波の電波を垂直偏波と水平偏波の電波に変換することもできる。このような円偏波発生器１１７を設けてもよい。
【０１１５】
アダプタ１１０Ａを用いれば、円偏波の電波を多重することができる。
【０１１６】
図１２は、実施の形態４のＦＰＵ高周波部２２０Ａを示す図である。
【０１１７】
ＦＰＵ高周波部２２０Ａは、図８に示すＦＰＵ高周波部２２０ＡをＸ軸方向に少し長くして、導波管本体１１１のＸ軸正方向側の端部に円偏波発生器１１７を設けたものである。円偏波発生器１１７は、図１１に示すものと同様である。
【０１１８】
ＦＰＵ高周波部２２０Ａを用いれば、円偏波の電波を多重することができる。
【０１１９】
＜実施の形態５＞
図１３は、実施の形態５の通信装置５００を示す図である。
【０１２０】
通信装置５００は、アダプタ５１０、ＦＰＵ高周波部５２０、一次放射器５３０、及び反射鏡１４０を含む。通信装置５００は、ＦＰＵ（無線中継伝送装置）である。
【０１２１】
通信装置５００は、実施の形態１の通信装置１００のアダプタ１１０を反射鏡１４０の反射面側に配置した構成を有する。その他の構成は、実施の形態１の通信装置１００と同様であるため、同様の構成要素には同一符号を付し、その説明を省略する。
【０１２２】
また、以下では、図１４乃至図１６も用いて説明を行う。図１４及び図１５は、アダプタ５１０とＦＰＵ高周波部５２０を示す図である。
【０１２３】
アダプタ５１０は、実施の形態１のアダプタ１１０の取り付け部１１５Ａ２の位置を変更して取り付け部５１５Ａ２にしたものである。反射鏡１４０の裏面には、取り付け部５１５Ａ１が設けられており、アダプタ５１０には取り付け部５１５Ａ２が設けられている。取り付け部５１５Ａ１と５１５Ａ２は、取り付け部１１５Ａ１と１１５Ａ２と同様である。ここでは、取り付け部５１５Ａ１と５１５Ａ２を合わせて取り付け部５１５Ａとして示す。取り付け部５２１は、ＦＰＵ高周波部５２０に取り付けられている。図１５（Ａ）には取り付け部５２１を示し、図１５（Ｂ）には取り付け部５１５Ａ２を示す。図１６は、取り付け部５１５Ａ１と、取り付け部５１５Ａ２及び５２１とを組み付ける前の状態を示す図である。
【０１２４】
取り付け部５１５Ａ１と５１５Ａ２は、Ｘ軸正方向側に反射鏡１４０を取り付けるとともに、Ｘ軸負方向側にＦＰＵ高周波部５２０の取り付け部５２１を取り付けるためのインターフェースとなる部材である。
【０１２５】
取り付け部５１５Ａは、取り付け部１１５Ａと同様に、例えば、バヨネット構造、又は、Ｖ座構造を有する。ここでは、図１５及び図１６に示すように、取り付け部５１５Ａがバヨネット構造である場合について説明する。
【０１２６】
ＦＰＵ高周波部５２０は、実施の形態１のＦＰＵ高周波部１２０の突出部１２２に取り付け部５２１を設けたものである。取り付け部５２１は、例えば、バヨネット構造、又は、Ｖ座構造を有し、取り付け部５１５Ａに取り付けられる。ここでは、取り付け部５２１がバヨネット構造である場合について説明する。
【０１２７】
一次放射器５３０は、アダプタ５１０を介して反射鏡１４０に取り付けられる。このため、実施の形態１の一次放射器１３０に比べて、アダプタ５１０の長さの分だけＸ軸方向の長さが短く設定されている。その他は、実施の形態１の一次放射器１３０と同様であり、アダプタ５１０の取り付け部１１４Ａに固定される。
【０１２８】
取り付け部５１５Ａ２と取り付け部５２１の構成は、図１５に示す通りである。取り付け部５１５Ａ２及び５２１は、それぞれ、図１５（Ａ）、（Ｂ）に示すように、３つの爪部で構成されるバヨネット構造を有する。
【０１２９】
取り付け部５１５Ａ２は、取り付け部５１５Ａ１を介してアダプタ５１０に反射鏡１４０を取り付けるとともに、Ｘ軸負方向側にＦＰＵ高周波部５２０の取り付け部５２１を取り付けるためのインターフェースとなる部材である。反射鏡１４０は、中心部に、カバー１１４が挿通される貫通孔を有する。反射鏡１４０の裏面に取り付けられる取り付け部５１５Ａ１のバヨネット構造又はＶ座構造等と、アダプタ５１０に取り付けられる取り付け部５１５Ａ２のバヨネット構造又はＶ座構造等と、ＦＰＵ高周波部５２０の取り付け部５２１とを係合させることによって、反射鏡１４０とアダプタ５１０は、ＦＰＵ高周波部５２０に取り付けられる。
【０１３０】
より具体的には、図１５（Ａ）に示す取り付け部５２１のバヨネット構造の３つの爪部と、図１５（Ｂ）に示す取り付け部５１５Ａ２のバヨネット構造の３つの爪部との周方向の位置を図１５（Ｃ）に示すように合わせた状態で係合させ、３つの爪部を取り付け部５１５Ａ１の溝部５１５Ａ１Ａに挿入して、取り付け部５２１と取り付け部５１５Ａ２の３つの爪部を溝部５１５Ａ１Ａに対して回転させることにより、図１５（Ａ）に示す取り付け部５１５Ａ１と、取り付け部５１５Ａ２及び取り付け部５２１とが係合する。これにより、アダプタ５１０とＦＰＵ高周波部５２０が接続される。取り付け部５１５Ａ１は、ＢＮＣコネクタと同様に、外周部に沿って周方向に形成される溝部５１５Ａ１Ａを有し、溝部５１５Ａ１Ａに取り付け部５２１と取り付け部５１５Ａ２の３つの爪部を挿入して回転させることにより、ＢＮＣコネクタと同様の原理によって固定される。
【０１３１】
例えば、取り付け部５１５Ａ１を取り付け部５２１と取り付け部５１５Ａ２に対して回転させて係合させる場合には、取り付け部５１５Ａ１の外周部に、手で回転させる際の滑りを抑制する滑り止めや、手が引っ掛かるようにするための突出部を設ければよい。このように係合させる場合には、取り付け部５２１と取り付け部５１５Ａ２に対して取り付け部５１５Ａ１を回転させる際に、反射鏡１４０がアダプタ５１０とＦＰＵ高周波部５２０に対して回転することになる。
【０１３２】
なお、取り付け部１１５Ａ１と１１５Ａ２、取り付け部１１５Ｂと取り付け部１２２Ａ、取り付け部１３３、取り付け部２１５Ａ１と取り付け部２１５Ａ２、取り付け部５１５Ａ１と５１５Ａ２は、例えば、取り付け部５１５Ａ１の溝部５１５Ａ１Ａの幅に取り付け部５１５Ａ２の幅を合わせて、取り付け部５１５Ａ１と取り付け部５１５Ａ２と係合させた構成である。
【０１３３】
これにより、アダプタ５１０に反射鏡１４０を取り付けることができる。
【０１３４】
なお、実施の形態１乃至４におけるバヨネット構造は、図１５（Ａ）、（Ｂ）に示すバヨネット構造と同様である。
【０１３５】
以上、実施の形態５によれば、従来のＦＰＵの大きさとほぼ変わらず、簡易に確実に組み立てが可能な２偏波を共用する通信装置５００を実現することができる。
【０１３６】
また、実施の形態５によれば、ＯＭＴを有するアダプタ５１０、ＦＰＵ高周波部５２０、一次放射器５３０、反射鏡１４０を伝送損失を最小限に抑制した状態で、容易かつ確実に組み付けることができる通信装置５００を提供することができる。
【０１３７】
通信装置５００は、ＦＰＵ（無線中継伝送装置）であるため、屋外で簡易的に設置される場合がある。アダプタ５１０と一次放射器５３０をテフロンシート１３４及び１１６を介して接続しているため、例えば、雨天の場合であっても、ＯＭＴを有するアダプタ５１０の内部に水が入ることを抑制できる。また、埃が入ることも抑制できる。
【０１３８】
従って、水や埃の侵入によるＯＭＴの特性の劣化が抑制され、伝送特性の良好な通信装置５００を提供することができる。
【０１３９】
なお、ここでは、コネクタ１１２、１１３とコネクタ１２３Ａ、１２３ＢにＮ型コネクタを用いることによって伝送損失を低減する形態について説明したが、伝送損失が少ないコネクタであれば、Ｎ型コネクタ以外のコネクタを用いてもよい。
【０１４０】
また、取り付け部１１５Ａは、アダプタ５１０に反射鏡１４０を高い位置決め精度で容易かつ確実に取り付けることができるのであれば、バヨネット構造又はＶ座構造以外の構成であってもよい。
【０１４１】
また、取り付け部１３３は、伝送損失が少ない接続形態で、一次放射器５３０をアダプタ５１０に容易かつ確実に取り付けることができれば、バヨネット構造以外のものであってもよい。
【０１４２】
図１７は、実施の形態５の変形例の通信装置５００Ａを示す図である。
【０１４３】
通信装置５００Ａは、ＦＰＵ高周波部５２０、取り付け部５５０Ａ、制御部１５０、一次放射器５３０Ａ、及び反射鏡１４０を含む。通信装置５００Ａは、図１３に示す通信装置５００から、アダプタ５１０を取り除き、ＦＰＵ高周波部５２０に一次放射器５３０Ａを直接的に取り付けた構成を有する。
【０１４４】
反射鏡１４０は、取り付け部５５０ＡによってＦＰＵ高周波部５２０に取り付けられる。取り付け部５５０Ａは、取り付け部５１５Ａの取り付け部５１５Ａ１と５１５Ａ２と同様の取り付け部５５０Ａ１と５５０Ａ２を有する。
【０１４５】
取り付け部５５０Ａは、反射鏡１４０をＦＰＵ高周波部５２０に取り付けるためのインターフェースとなる部材である。反射鏡１４０は、中心部に、取り付け部５５０Ａ１と５５０Ａ２とが挿通される貫通孔を有する。取り付け部５５０Ａ１のバヨネット構造又はＶ座構造等と、取り付け部５５０Ａ２のバヨネット構造又はＶ座構造等とで反射鏡１４０を挟んだ状態で取り付け部５５０Ａ１と５５０Ａ２とのバヨネット構造又はＶ座構造等同士を係合させることによって、反射鏡１４０はＦＰＵ高周波部５２０に取り付けられる。
【０１４６】
一次放射器５３０Ａは、同軸ケーブル５５１Ａ、５５１Ｂ、ダイポールアンテナ５５２Ａ、５５２Ｂ、及び反射板５５３を有する。同軸ケーブル５５１Ａ、５５１Ｂ、ダイポールアンテナ５５２Ａ、５５２Ｂ、及び反射板５５３は、図示しない、例えば、円筒状の筐体によって保持される。
【０１４７】
同軸ケーブル５５１Ａと５５１Ｂは、それぞれ、ＦＰＵ高周波部５２０の水平偏波用の端子と垂直偏波用の端子に接続されている。同軸ケーブル５５１Ａと５５１Ｂには、それぞれ、ダイポールアンテナ５５２Ａ、５５２Ｂが接続されている。ダイポールアンテナ５５２Ａ、５５２Ｂは、図示しない筐体の先端で、互いに９０度異なる向きで配設される。ダイポールアンテナ５５２Ａ、５５２Ｂは、例えば、同一のＹＺ平面上に隣り合うように配置すればよい。ダイポールアンテナ５５２Ａ、５５２ＢのＸ軸正方向側には、反射板５５３が配設される。
【０１４８】
図１７に示すように、ＦＰＵ高周波部５２０に一次放射器５３０Ａを直接的に取り付けてもよい。
【０１４９】
以上、本発明の例示的な実施の形態の通信装置、アダプタ、及び無線中継伝送装置について説明したが、本発明は、具体的に開示された実施の形態に限定されるものではなく、特許請求の範囲から逸脱することなく、種々の変形や変更が可能である。
【符号の説明】
【０１５０】
１００  通信装置
１１０  アダプタ
１１１  導波管本体
１１２、１１３  コネクタ
１１４  カバー
１１４Ａ  取り付け部
１１５Ａ  取り付け部
１１６  テフロンシート
１２０  ＦＰＵ高周波部
１２１  筐体
１２２  突出部
１２３Ａ、１２３Ｂ  コネクタ
１２４Ａ、１２４Ｂ  共用器
１２５Ａ  ＣＤバンドＰＡ
１２５Ｂ  ＥＦバンドＰＡ
１２６Ａ  ＣＤバンドＰＡ
１２６Ｂ  ＥＦバンドＰＡ
１３０  一次放射器
１３１  導波管
１３２  放射器
１３３  取り付け部
１３４  テフロンシート
１４０  反射鏡
２００  通信装置
２１５  取り付け部
２１８  配線
２１９  配線
２２０  ＦＰＵ高周波部
２２１  筐体
２２２  突出部
３００  通信装置
３１０  アダプタ
３１１  導波管本体
３１４  カバー
３１５  取り付け部
３１６  テフロンシート
３１８、３１９  配線
２２０Ａ  ＦＰＵ高周波部
１１０Ａ  アダプタ
１１７  円偏波発生器
５００  通信装置
５１０  アダプタ
５２０  ＦＰＵ高周波部
５３０  一次放射器
１４０  反射鏡
５１５Ａ  取り付け部
５２１  取り付け部
【図１】
0006604770.tif 000002
【図２】
0006604770.tif 000003
【図３】
0006604770.tif 000004
【図４】
0006604770.tif 000005
【図５】
0006604770.tif 000006
【図６】
0006604770.tif 000007
【図７】
0006604770.tif 000008
【図８】
0006604770.tif 000009
【図９】
0006604770.tif 000010
【図１０】
0006604770.tif 000011
【図１１】
0006604770.tif 000012
【図１２】
0006604770.tif 000013
【図１３】
0006604770.tif 000014
【図１４】
0006604770.tif 000015
【図１５】
0006604770.tif 000016
【図１６】
0006604770.tif 000017
【図１７】
0006604770.tif 000018